(57)【要約】  洗浄および消毒も不要で、低圧かつ低流量で吸引を行なうことができる吸引器、および該吸引器を用いた吸引システムを提供する。  吸引器は、筐体と、駆動部と、を備えている。筐体は、第１吸引口および第２吸引口を有する。駆動部は、流入口を有し、前記第２吸引口を介して該流入口から流体を流入させる。前記第２吸引口は、前記第１吸引口および前記流入口の間に配置され、前記第１吸引口よりも開口面積が狭くなっている。
2018074193.tif 000002
【特許請求の範囲】
【請求項１】
第１吸引口および第２吸引口を有する筐体と、
流入口を有し、前記第２吸引口を介して該流入口から流体を流入させる駆動部と、
を備え、
前記第２吸引口は、前記第１吸引口および前記流入口の間に配置され、前記第１吸引口よりも開口面積が狭くなっている、
吸引器。
【請求項２】
前記第１吸引口および前記第２吸引口との間に設けられたフィルタ、を備えた
請求項１に記載の吸引器。
【請求項３】
前記駆動部は、圧電ポンプである、
請求項１または請求項２に記載の吸引器。
【請求項４】
前記駆動部に電力を供給する蓄電部をさらに備える、
請求項１乃至請求項３のいずれか１項に記載の吸引器。
【請求項５】
前記第１吸引口と前記第２吸引口との間に設けられ、孔質の水分吸着部材を有する結露抑制部、を備えた
請求項１乃至請求項４のいずれか１項に記載の吸引器。
【請求項６】
前記筐体は、表示部が設けられている、
請求項１乃至請求項５のいずれか１項に記載の吸引器。
【請求項７】
前記第１吸引口と前記第２吸引口との開口面積の比は、１×１０−４から０．２５の間である、請求項１乃至請求項６のいずれか１項に記載の吸引器。
【請求項８】
前記筐体は、本体部およびノズル部からなり、
前記ノズル部の長さと前記本体部の長さの比は、０．５から４．０の間である、
請求項１乃至請求項７のいずれか１項に記載の吸引器。
【請求項９】
前記第２吸引口は、前記流入口との間に前記流体の流量を所望の流量に調整する空間を介して設けられている、請求項１乃至請求項８のいずれか１項に記載の吸引器。
【請求項１０】
複数の前記第２吸引口が設けられた、
請求項１乃至請求項９のいずれか１項に記載の吸引器。
【請求項１１】
請求項１乃至請求項１０のいずれか１項に記載の吸引器と、
前記吸引器に接続されるカニューレと、
を備えた吸引システム。
【発明の詳細な説明】
【技術分野】
【０００１】
本発明の一実施形態は、流体を吸引する吸引器、および該吸引器を備えた吸引システムに関する。
【背景技術】
【０００２】
肺の手術等を行なうためには、肺の中の空気を抜く場合がある。肺の中の空気を吸引する吸引源としては、壁配管およびレギュレータを用いた吸引器が知られている。【０００３】
また、特許文献１には、肺の中の空気を吸引する装置として、ポンプとカニューレとを備えた装置が開示されている。
【先行技術文献】
【特許文献】
【０００４】
【特許文献１】特表２００３−５０７１２号公報
【発明の概要】
【発明が解決しようとする課題】
【０００５】
肺にダメージを与えないためには、適切な流量で吸引する必要がある。また、特に老齢者の肺は、変形し難いため、炎症等を起こさないように、適切な圧力かつ低流量で吸引する必要がある。しかし、壁配管およびレギュレータによる吸引は非常に高流量であるため、適切な圧力かつ低流量で吸引を行なうのは困難である。【０００６】
また、特許文献１のような装置は流量については何ら考慮されていない
流量を低減させる方法として、ポンプの駆動電圧を低減させる方法が考えられている。しかしながら、ポンプには定格電圧が定められており、駆動電圧が定格電圧から大きく低減してしまうと、ポンプそのものの駆動が困難となる。【０００７】
そこで、本発明の一実施形態は、ポンプの駆動条件を変更せずに所望の流量で吸引を行なうことができる吸引器、および該吸引器を用いた吸引システムを提供することを目的とする。
【課題を解決するための手段】
【０００８】
吸引器は、筐体と、駆動部と、を備えている。筐体は、第１吸引口および第２吸引口を有する。駆動部は、流入口を有し、前記第２吸引口を介して該流入口から流体を流入させる。前記第２吸引口は、前記第１吸引口および前記流入口の間に配置され、前記第１吸引口よりも開口面積が狭くなっている。【０００９】
このように、第２吸引口は、第１吸引口よりも開口面積が狭くなっているため、流路抵抗部として機能する。吸引器は、この流路抵抗部により、適切な圧力で、最大流量を低下させることができるため、肺内の気体を吸引するに当たり望ましい流量で吸引を行なうことが可能となる。
【発明の効果】
【００１０】
この発明の一実施形態によれば、ポンプの駆動条件を変更せずに所望の流量で吸引を行なうことができる。
【図面の簡単な説明】
【００１１】
【図１】吸引システム１の概要を示す図である。
【図２】吸引器５の外観斜視図である。
【図３】吸引器５の分解斜視図である。
【図４】吸引器５の断面図（図２に示すＴ−Ｔ線の断面）である。
【図５】圧電ポンプ１０の分解斜視図である。
【図６】圧電ポンプ１０の断面図である。
【図７】図７（Ａ）および図７（Ｂ）は、圧電ポンプ１０を動作させた時における断面図である。
【図８】結露抑制部１９１をさらに備えた吸引器５の断面図（図２に示すＴ−Ｔ線の断面）である。
【図９】ＬＥＤ１０９を備えた吸引器５の外観斜視図である。
【図１０】圧力センサ９１を備えた吸引器５の構成を示すブロック図である。
【図１１】ＯＮ／ＯＦＦ回路９５を備えた吸引器５の構成を示すブロック図である。
【図１２】環状表示器１０９Ａを備えた吸引器５Ａの外観斜視図である。
【図１３】プッシュスイッチ１０４Ｂ及び円環状表示器１０９Ｂを備えた吸引器５Ｂの外観斜視図である。
【発明を実施するための形態】
【００１２】
図１は、吸引システム１の概要を示す図である。吸引システム１は、カニューレ２、および吸引器５を備えている。カニューレ２は、接続部３を備えている。カニューレ２と接続部３は一体成型されている。
【００１３】
カニューレ２は、人体の口等から肺に挿入されるチューブである。カニューレ２は、口周辺または食道において、固定部（不図示）により人体に固定される。カニューレ２は、２本のチューブからなり、それぞれのチューブの第１端部が右肺および左肺に挿入される。それぞれのチューブの第２端部には、接続部３が設けられている。接続部３には、吸引器５または人工呼吸器（不図示）が接続される。
【００１４】
図２は、吸引器５の外観斜視図である。図３は、吸引器５の分解斜視図である。図４は、吸引器５の断面図（図２に示すＴ−Ｔ線の断面）である。
【００１５】
図２に示すように、吸引器５は、外観上、ノズル部１０１、第１筐体１０２、第２筐体１０３、およびスイッチ１０４を備えている。ノズル部１０１、第１筐体１０２、および第２筐体１０３は、例えば樹脂からなる。第１筐体１０２および第２筐体１０３が本体部１００となる。本体部１００およびノズル部１０１により、筐体４が構成される。
【００１６】
図３および図４に示すように、ノズル部１０１は、円筒形状の円筒部１０１Ａと、薄い板形状の板状部１０１Ｂと、が一体成型されてなる。円筒部１０１Ａの開口部は、第１吸引口１５３となっていて、接続部３に接続される。円筒部１０１Ａの内面は、テーパ状に緩やかに絞られている。円筒部１０１Ａの開口面積は、第１吸引口１５３側が最も大きく、板状部１０１Ｂに近いほど緩やかに減少する。これにより、接続部３を円筒部１０１Ａの内部に挿入して、しっかりと固定することができる。
【００１７】
図２では、便宜上、ノズル部１０１が配置される側をＹ方向（長さ方向）、幅方向の長さ（外寸）をＸ方向とする。ノズル部１０１のＹ方向の長さと、本体部１００のＹ方向の長さの比は、０．５〜４．０であることが好ましい。接続部３は、可撓性の部材を有するため、ノズル部１０１に対する本体部１００の大きさを、例えば４倍以下に抑えることが好ましい。これにより、接続部３における可撓性の部材が折れたり、空気流が阻害されたりすることを防止することができる。また、ノズル部１０１のＹ方向の長さと、本体部１００のＹ方向の長さの比が０．５以上とすることにより本体部１００のＹ方向の厚みにおいて十分な剛性を得ることが可能となる。
【００１８】
また、ノズル部１０１のＸ方向の長さ（外寸）と、本体部１００のＸ方向の長さ（外寸）の比は、０．５〜４．０であることが好ましい。ノズル部１０１の外寸と、本体部１００の外寸の比を０．５以上とすることで、駆動部等を内蔵する空間を確保することができる。さらに、ノズル部１０１のＸ方向の長さ（外寸）と、本体部１００のＸ方向の長さ（外寸）の比を０．５以上とすることで、吸引器を脱着する際に本体部１００に加わる力に対して十分な強度を確保することができる。また、ノズル部１０１のＸ方向の長さ（外寸）と、本体部１００のＸ方向の長さ（外寸）の比を４．０以下とすることで、所望の吸引能力を有し、かつ吸引器５の小型化が可能となる。
【００１９】
板状部１０１Ｂは、図４の断面図に示すように、第１筐体１０２にはめこまれて接着または溶着等により固定される。圧電ポンプ１０（駆動部）は、第１筐体１０２と板状部１０１Ｂで挟まれることにより、第１筐体１０２に収納される。
【００２０】
板状部１０１Ｂには、第２吸引口１５５が設けられている。この例では、第２吸引口１５５は、円筒形状の空間（平面視した形状が円形）であるが、矩形状等の他の形状であってもよい。第２吸引口１５５は、第１吸引口１５３と連通している。第２吸引口１５５は、第１吸引口１５３よりも径（開口面積）が小さくなっている。一例として、第２吸引口１５５の直径は、１２０μｍである。第１吸引口１５３の直径は、１２ｍｍ程度である。したがって、第２吸引口１５５と第１吸引口１５３の径の比は、０．０１となる。言い換えると、第２吸引口１５５と第１吸引口１５３の開口面積の比は、１×１０−４となる。
【００２１】
第２吸引口１５５の外側（第１吸引口１５３側）には、防水フィルタ１５１が取り付けられている。言い換えると、防水フィルタ１５１は、第１吸引口１５３と第２吸引口１５５との連通部分に取り付けられている。防水フィルタ１５１は、通気性を有するが、水等の液体を通さない。したがって、圧電ポンプ１０側には、気体だけが流れる。これにより、圧電ポンプ１０に水等が流入して故障等が発生することを防止することができる。
【００２２】
第１筐体１０２のうち、圧電ポンプ１０が収納される側と反対側には、ドライブ基板１７１が収納される。ドライブ基板１７１は、圧電ポンプ１０を駆動するための回路基板である。ドライブ基板１７１は、蓄電部であるボタン電池１７２およびスイッチ基板１７３に電気的に接続されている。
【００２３】
第２筐体１０３には、ボタン電池１７２、スイッチ基板１７３、およびスイッチ１０４が収納される。ドライブ基板１７１およびスイッチ基板１７３の間には、ボタン電池１７２が配置される。第２筐体１０３には、スイッチ１０４を露出させるための孔が設けられている。ドライブ基板１７１、ボタン電池１７２、スイッチ基板１７３、およびスイッチ１０４は、第１筐体１０２および第２筐体１０３に挟まれることにより、内部に固定される。なお、これら構成の配置は、本実施形態で示す例に限るものではない。また、ドライブ基板１７１およびスイッチ基板１７３は、分かれている必要はなく、１つの基板として構成されていてもよい。
【００２４】
図５は、圧電ポンプ１０の分解斜視図である。図６は、圧電ポンプ１０の断面図である。圧電ポンプ１０は、空気の排出側から順に、外筐体１７、天板３７、側板３８、振動板３９、圧電素子４０、およびキャップ４２を備え、それらを順に積層した構造を有している。天板３７、側板３８、および振動板３９は、ポンプ室３６を構成している。圧電ポンプ１０は、例えば、幅２０ｍｍ×長さ２０ｍｍ×１．８５ｍｍ（ノズル１８以外の領域の高さ）の寸法となっている。
【００２５】
外筐体１７は、ノズル部１８を有する。ノズル部１８には、空気が排出される排出孔２４が中心に形成されている。このノズル１８は、例えば外径２．０ｍｍ×内径（即ち排出孔２４の系）０．８ｍｍ×高さ１．６ｍｍの寸法となっている。外筐体１７の四角には、ネジ穴５６Ａ〜５６Ｄが形成されている。
【００２６】
外筐体１７は、下方が開口した形状である。外筐体１７は、ポンプ室３６の天板３７、ポンプ室３６の側板３８、振動板３９、および圧電素子４０を収納する。外筐体１７は、例えば樹脂から構成される。
【００２７】
ポンプ室３６の天板３７は、円板状であり、例えば金属から構成されている。天板３７には、中央部６１と、中央部６１から水平方向に突出し、外筐体１７の内壁に当接する鍵状に形成された複数の突出部６２を有する。複数の突出部６２のうち少なくとも１つ（図５では１つ）には、外部回路に接続するための外部端子６３が形成されている。
【００２８】
また、天板３７の中央部６１には、図６に示すように、ポンプ室３６の内部と外部とを連通させる通気孔４５が設けられている。この通気孔４５は、外筐体１７の排出孔２４と対向する位置に形成されている。天板３７は、側板３８の上面に接合する。
【００２９】
ポンプ室３６の側板３８は、円環状であり、例えば金属から構成されている。側板３８は、振動板３９の上面に接合する。そのため、側板３８の厚みは、ポンプ室３６の高さとなる。
【００３０】
振動板３９は、円板状であり、例えば金属から構成されている。振動板３９は、ポンプ室３６の底面を構成する。
【００３１】
圧電素子４０は、円板形状であり、例えばチタン酸ジルコン酸鉛系セラミックスから構成されている。圧電素子４０は、振動板３９のポンプ室３６とは逆側の主面に接合されており、印加された交流電圧に応じて屈曲する。圧電素子４０および振動板３９は、アクチュエータを構成する。
【００３２】
天板３７、側板３８、振動板３９、および圧電素子４０の接合体は、天板３７に設けられている４個の突出部６２によって外筐体１７に対して弾性的に支持されている。
【００３３】
電極導通用板７０は、図５に示すように、圧電素子４０に接続するための内部端子７３と、外部回路に接続するための外部端子７２とで構成されている。内部端子７３の先端は圧電素子４０の平板面にはんだ付けされている。はんだ付け位置を圧電素子４０の屈曲振動の節に相当する位置とすることにより、内部端子７３の振動がより抑制できる。
【００３４】
キャップ４２には、円板形状の流入口５３が形成されている。流入口５３の直径は、圧電素子４０の直径より長い。また、キャップ４２には、外筐体１７のネジ穴５６Ａ〜５６Ｄに対応する位置に切欠き５５Ａ〜５５Ｄが形成されている。
【００３５】
また、キャップ４２は、外周縁に、天板３７側へ突出する突出部５２を有する。キャップ４２は、突出部５２で外筐体１７を挟持し、ポンプ室３６の天板３７、ポンプ室３６の側板３８、振動板３９および圧電素子４０を、外筐体１７とともに収納する。キャップ４２は、例えば樹脂から構成されている。
【００３６】
そして、図６に示すように、天板３７、側板３８、振動板３９および圧電素子４０の接合体と外筐体１７およびキャップ４２との間には通気路３１が形成されている。
【００３７】
図７（Ａ）および図７（Ｂ）は、圧電ポンプ１０を動作させた時における断面図である。図中の矢印は、空気の流れを示している。
【００３８】
交流駆動電圧が外部端子６３および外部端子７２から圧電素子４０に印加されると、振動板３９は同心円状に屈曲振動する。同時に、天板３７は、振動板３９の屈曲振動に伴うポンプ室３６の圧力変動により、振動板３９の屈曲振動に伴って同心円状に屈曲振動する。
【００３９】
これにより、図７（Ａ）および図７（Ｂ）に示すように、振動板３９および天板３７が屈曲変形してポンプ室３６の体積が周期的に変化する。
【００４０】
図７（Ａ）に示すように、振動板３９を圧電素子４０側へ屈曲させると、ポンプ室３６の容積が増大する。これに伴い、圧電ポンプ１０の外部の空気が流入口５３、通気路３１、および通気孔４５を介してポンプ室３６内に吸引される。このとき、ポンプ室３６からの空気の流出は無いものの、排出孔２４から圧電ポンプ１０の外部へ向かう空気の流れの慣性力が働いている。
【００４１】
そして、図７（Ｂ）に示すように、振動板３９をポンプ室３６側へ屈曲させると、ポンプ室３６の容積が減少する。これに伴い、ポンプ室３６内の空気が通気孔４５を介して排出孔２４から排出する。
【００４２】
このとき、ポンプ室３６から排出される空気は、圧電ポンプ１０の外部の空気を流入口５３および通気路３１を介して引き込みながら排出孔２４から排出される。そのため、圧電ポンプ１０では、排出孔２４から排出される空気の流量は、引き込まれる空気の流量分増大する。
【００４３】
以上のようにして、圧電ポンプ１０が駆動することにより、第１吸引口１５３および第２吸引口１５５から空気が吸引される。第１吸引口１５３には、接続部３が接続される。したがって、圧電ポンプ１０が駆動することにより、吸引器５は、肺に挿入されたカニューレ２の第１端部から肺の中の空気を吸引する。肺の空気を吸引する場合、０．５〜２ｋＰａの圧力で、０．０３〜０．３Ｌ／ｍｉｎ程度の流量で吸引することが好ましい。本実施形態の吸引器５は、第２吸引口１５５の開口面積を適切に調整することにより、肺内の気体を吸引するに当たり望ましい圧力および流量で吸引を行なうことが可能となる。
【００４４】
上述したように、本実施形態における第２吸引口１５５の直径は、１２０μｍである。第１吸引口１５３の直径は、１２ｍｍ程度である。すなわち、第２吸引口１５５と第１吸引口１５３の開口面積の比は、１×１０−４となっている。ただし、第２吸引口１５５と第１吸引口１５３の開口面積の比は、圧電ポンプ１０の能力により適宜設定される。第２吸引口１５５と第１吸引口１５３の開口面積の比が小さいほど流量は低下する。逆に、第２吸引口１５５と第１吸引口１５３の開口面積の比が大きいほど流量は上昇する。好ましくは、第２吸引口１５５と第１吸引口１５３の開口面積の比は、１×１０−４〜０．２５の範囲である。本実施形態の圧電ポンプ１０では、第２吸引口１５５と第１吸引口１５３の開口面積の比を当該範囲に設定することにより、０．５〜２ｋＰａの圧力で、０．０３〜０．３Ｌ／ｍｉｎ程度の流量で吸引することができる。
【００４５】
また、所望の流量を得るため、ポンプの圧力と流量の双方の能力が低減されたポンプを利用することも考えられる。しかしながら、圧力が低下すると、肺の空気を吸引できなくなってしまう虞がある。特に高齢者の肺は弾力性が低下し硬くなっているため、一定以上の圧力がないと肺を縮めることができない。このような場合、肺内の空気を吸引するためには、一定以上の圧力が必要になる。
【００４６】
また、患者の状態に応じて、所望の流量を変えることがある。このため、第１吸引口１５３及び第２吸引口１５５の少なくとも一方の開口面積が変更可能となるように構成されてもよい。また、第１吸引口１５３の開口面積と第２吸引口１５５の開口面積の少なくとも一方が異なる複数のノズル部が第１筺体１０２に脱着可能に設けられていてもよい。患者の状態に応じて第１吸引口１５３と第２吸引口１５５を最適な開口面積にすることにより最適な流量に調整することを可能とする。
【００４７】
なお、図４の断面図に示すように、板状部１０１Ｂと圧電ポンプ１０との間には、ある程度の空間１５７が設けられている。すなわち、第２吸引口１５５と圧電ポンプ１０の流入口５３との間には空間が設けられている。第２吸引口１５５は、圧電ポンプ１０を平面視したときのほぼ中心位置に配置されるが、圧電ポンプ１０の流入口５３から流入される位置は、中心位置よりも外側となる。すなわち、第２吸引口１５５から吸引された空気は、中心位置から外側に向かって狭い流路を通ることになる。空間１５７が狭すぎると、この空間１５７で生じる流路抵抗によって、圧電ポンプ１０の吸引能力が低下する。したがって、吸引器５は、空間１５７の高さを１ｍｍ未満に設定することで、この空間１５７により流量を低下させることもできる。逆に、高さ１ｍｍ以上の空間を設けることで、圧電ポンプ１０の吸引能力を確保することもできる。
【００４８】
次に、図８は、結露抑制部１９１をさらに備えた吸引器５の断面図（図２に示すＴ−Ｔ線の断面）である。この例では、ノズル部１０１の内面に、結露抑制部１９１が取り付けられている。
【００４９】
結露抑制部１９１は、例えば多孔質の水分吸着部材からなる。肺の空気は、３６℃〜３７℃の温度を有し、湿度は１００％である。本願吸引器が通常用いられる手術室等の外気は、例えば室温である２５℃程度である。したがって、吸引された空気に含まれる水分は、結露してノズル部１０１の内面に付着する可能性がある。上述のように、防水フィルタ１５１により、圧電ポンプ１０側に水等が流入することは防止できるが、第２吸引口１５５の径は極めて小さい（例えば１２０μｍ程度である）ため、結露した水等で第２吸引口１５５を塞ぐ可能性がある。そこで、この例では、結露抑制部１９１により、第２吸引口１５５に水等が付着することを防止する。
【００５０】
なお、結露抑制部１９１は、メッシュ状の板、または桟等の障害物であってもよい。さらに、結露抑制部１９１は、ヒータ等の昇温機能を備えていてもよい。結露抑制部１９１は、例えば３６℃程度に昇温すれば、第２吸引口１５５に水等が付着することを防止することができる。
【００５１】
次に、図９は、ＬＥＤ１０９を備えた吸引器５の外観斜視図である。ＬＥＤ１０９は、スイッチ１０４を操作して、吸引器５の電源がオンされた場合に点灯する。これにより、利用者は、吸引器５の稼働状態を知ることができる。
【００５２】
図１０は、圧力センサ９１を備えた吸引器５の構成を示すブロック図である。この例では、吸引器５は、マイコン９０、圧力センサ９１、および表示部９２を備えている。圧力センサ９１は、第２吸引口１５５と圧電ポンプ１０との間の流路、または第１吸引口１５３と第２吸引口１５５との間の流路（カニューレ２側）の圧力を検知する。マイコン９０は、圧力センサ９１で検知された圧力を、表示部９２に表示させる。これにより、利用者は、現在の吸引圧力を知ることができ、肺内の圧力をモニターして、十分に吸引がされたかどうか、つまり肺が十分に萎んだかどうか等を確認することができる。なお、吸引器５は、流量センサを備えることにより流量を検知し、流量を表示してもよい。
【００５３】
なお、圧力が上昇した場合にはそれに応じて流量が低下し、消費電流が減少するため、マイコン９０は、消費電流を監視することにより、圧力を推定することもできる。この場合、表示部９２には、推定された圧力が表示される。
【００５４】
また、マイコン９０は、圧力センサ９１で検知された圧力が所定の閾値を超えた場合に、不図示のスピーカを介してアラームを発してもよい。また、マイコン９０は、圧力センサ９１で検知された圧力が所定の閾値を超えた場合に、表示部９２に警告表示をしてもよい。この場合、表示部９２は、上述のＬＥＤ１０９により構成され、当該ＬＥＤ１０９を点滅または表示色を変化させる等により、警告表示とすることもできる。アラームまたは警告表示がなされた場合には、利用者は、肺が十分に縮んだ状態であると判断することができる。
【００５５】
次に図１１は、ＯＮ／ＯＦＦ回路９５を備えた吸引器５の構成を示すブロック図である。ＯＮ／ＯＦＦ回路９５は、ドライブ基板（ドライバ）１７１における電圧の印加のＯＮ／ＯＦＦを制御する。ＯＮ／ＯＦＦ回路９５は、ドライバ１７１における電圧の印加を、第１所定時間（例えば３秒）経過毎に、電圧の印加を第２所定時間（例えば１００ｍｓｅｃ）だけＯＦＦさせる。これにより、圧電ポンプ１０は、間欠駆動することになる。圧電ポンプ１０が停止した場合も、空気の流れは即座に停止しないため、圧電ポンプ１０が極短時間（１００ｍｓｅｃ以下）停止した場合でも、空気の流れは停止せずに、徐々に流量が低下する。そして、ＯＮ／ＯＦＦ回路９５は、第２所定時間経過後に、再びドライバ１７１における電圧の印加をＯＮする。したがって、圧電ポンプ１０が間欠駆動した場合でも、空気の吸引は、連続的に行なわれる。これにより、常に圧電ポンプ１０が駆動している場合に比べると、流量が低下することになる。流路抵抗による流量の低下は、エネルギのロスが生じるが、電圧のＯＮ／ＯＦＦによる流量の低下は、エネルギのロスは生じず、むしろ消費電力は低下する。また、間欠駆動では、電圧が変化しないため、圧力をある程度維持したまま流量を低下させることができる。また、このとき流路途中に逆止弁を設けることで、ＯＦＦ時の逆流を防ぐことができるため、より一層効率的に駆動することが可能となる。
【００５６】
なお、この実施形態では空気を流入させる駆動部の一例として圧電ポンプを示したが、例えば、モータで駆動する電磁ポンプを圧電ポンプの代わりに設けてもよい。
【００５７】
また、上述の実施形態では、第２吸引口１５５が１つである例を示したが、吸引器５は、複数の第２吸引口１５５を備えていてもよい。複数の第２吸引口１５５を備えることで、仮に一方の第２吸引口１５５が水等により詰まった場合でも、他方の第２吸引口１５５により吸引を継続することができる。
【００５８】
また、上述の例では、圧電素子４０はチタン酸ジルコン酸鉛系セラミックスから構成されているが、これに限るものではない。例えば、ニオブ酸カリウムナトリウム系およびアルカリニオブ酸系セラミックス等の非鉛系圧電体セラミックスの圧電材料などから構成してもよい。
【００５９】
図１２は、ＬＥＤ１０９の変形例として、環状表示器１０９Ａを備えた吸引器５Ａの外観斜視図である。環状表示器１０９Ａは、本体部１００（第１筐体１０２および第２筐体１０３）の側面の全周に設けられている。環状表示器１０９Ａは、例えば透明アクリル板からなる。環状表示器１０９Ａは、本体部１００の内部に設けられたＬＥＤの光を導光して、側面を光らせる。これにより、本体部１００の全周が光るため、利用者は、どの方向から見ても機器の稼働状態がわかる。
【００６０】
図１３は、スイッチ１０４およびＬＥＤ１０９の変形例として、プッシュスイッチ１０４Ｂおよび円環状表示器１０９Ｂを備えた吸引器５Ｂの外観斜視図である。プッシュスイッチ１０４Ｂおよび円環状表示器１０９Ｂは、本体部１００の底面に設けられている。円環状表示器１０９Ｂは、プッシュスイッチ１０４Ｂの周囲を囲むように配置されている。プッシュスイッチ１０４Ｂは、押される毎に吸引器５Ｂの稼働状態をオンまたはオフ状態に変化させる。プッシュスイッチ１０４Ｂをオン状態にすると、該プッシュスイッチ１０４Ｂの周囲に設けられた円環状表示器１０９Ｂが光る。これにより、利用者は、機器の稼働状態が一目でわかる。
【００６１】
最後に、本実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００６２】
１…吸引システム
２…カニューレ
３…接続部
４…筐体
５…吸引器
１０…圧電ポンプ（駆動部）
１７…外筐体
１８…ノズル
２４…排出孔
３１…通気路
３６…ポンプ室
３７…天板
３８…側板
３９…振動板
４０…圧電素子
４２…キャップ
４５…通気孔
５２…突出部
５３…流入口
５５Ａ…切欠き
５６Ａ…ネジ穴
６１…中央部
６２…突出部
６３…外部端子
７０…電極導通用板
７２…外部端子
７３…内部端子
９０…マイコン
９１…圧力センサ
９２…表示部
９５…ＯＮ／ＯＦＦ回路
１０１…ノズル部
１０１Ａ…円筒部
１０１Ｂ…板状部
１０２…第１筐体
１０３…第２筐体
１０４…スイッチ
１０９…ＬＥＤ
１５１…防水フィルタ
１５３…第１吸引口
１５５…第２吸引口
１５７…空間
１７１…ドライブ基板（ドライバ）
１７２…ボタン電池
１７３…スイッチ基板
１７４…スイッチ
１９１…結露抑制部
【図１】
2018074193.tif 000003
【図２】
2018074193.tif 000004
【図３】
2018074193.tif 000005
【図４】
2018074193.tif 000006
【図５】
2018074193.tif 000007
【図６】
2018074193.tif 000008
【図７】
2018074193.tif 000009
【図８】
2018074193.tif 000010
【図９】
2018074193.tif 000011
【図１０】
2018074193.tif 000012
【図１１】
2018074193.tif 000013
【図１２】
2018074193.tif 000014
【図１３】
2018074193.tif 000015
【国際調査報告】
2018074193.tif 000016
2018074193.tif 000017
2018074193.tif 000018
2018074193.tif 000019